(57)【要約】【課題】  一固体に分別すべき資材が混在せず、鞄や書類棚等に収納する際の納まりが良く、且つ嵩張らない書類止め具の提供。【解決手段】  硬直性基板と、当該硬直性基板と一体成形された挟持ポケットを備え、当該挟持ポケットは、前記硬直性基板の縁から延出した奥行き片、当該奥行き片の迎え縁から延出した突っ張り片、及び当該突っ張り片の加圧縁から延出した支え片からなり、前記奥行き片を当該硬直性基板と折り重ねると共に、当該奥行き片の両端部を当該硬直性基板に固定し、前記突っ張り片を前記硬直性基板の表面に対して起立する様に当該硬直性基板に向けて折り返し、前記支え片を前記硬直性基板の表面に沿う様に折り返してなる書類止め具。【選択図】      図１
2007111913.tif 000002
【特許請求の範囲】
【請求項１】
硬直性基板と、当該硬直性基板と一体成形された挟持ポケットを備え、
当該挟持ポケットは、前記硬直性基板の縁から延出した奥行き片、当該奥行き片の迎え縁から延出した突っ張り片、及び当該突っ張り片の加圧縁から延出した支え片からなり、
前記奥行き片を当該硬直性基板と折り重ねると共に、当該奥行き片の両端部を当該硬直性基板に固定し、
前記突っ張り片を前記硬直性基板の表面に対して起立する様に当該硬直性基板に向けて折り返し、
前記支え片を前記硬直性基板の表面に沿う様に折り返してなる書類止め具。
【請求項２】
前記奥行き片の奥行きを当該支え片の奥行きよりも長く設定し、前記支え片の支持縁が前記挟持ポケットの最深部に当接し又は係止されてなる前記請求項１に記載の書類止め具。
【請求項３】
前記硬直性基板と一体成形されたペンホルダを備え、
当該ペンホルダは、前記硬直性基板の縁部から延出した表片、当該表片から延出した裏片、及び前記表片又は裏片のいずれか一方の下縁から延出した下支え片からなり、
前記表片の中央部に山折の縦折り目を設けると共に、前記裏片の中央部に山折の縦折り目を設け、前記下支え片を設けた前記表片又は裏片のいずれかの縦折り目の下端と、前記下支え片を設けた前記表片又は裏片のいずれかの左右両下端とを結ぶ山折の斜折り目を設け、前記表片と前記硬直性基板との境界に谷折の縦折り目を設け、
当該下支え片を、前記表片又は裏片と折り重ね、当該下支え片を挟む様に前記表片と裏片とを折り重ね、前記裏片の端を当該硬直性基板に固定してなる前記請求項１又は請求項２のいずれかに記載の書類止め具。
【発明の詳細な説明】
【技術分野】
【０００１】
本発明は、例えば、複数枚の書類がバラバラにならない様に整然と束ねる書類止め具に関するものである。
【背景技術】
【０００２】
従来より、上記機能を有する書類止め具が多数市場に置かれ活用されているが、当該書類止め具のうちの直接書類を挟持する部分（以下、挟持部と記す。）は、専ら合成樹脂（例えば、下記特許文献参照。）や金属の弾性を利用した物がほとんどである。また、当該挟持部は、各々の弾性を効率よく引き出す為に、例えば湾曲させる等の加工が加えられ、当該部位によって全体としての厚みを大きくしているのが実情である。
【０００３】
【特許文献１】特開２００１−６３２６６号公報
【発明の開示】
【発明が解決しようとする課題】
【０００４】
上記の如く挟持部の存在で全体としての厚みが大きいと、鞄や書類棚に収納する際の納まりが悪いという問題がある他、資源の再利用を図るべくゴミの分別が義務付けられている今日において、当該製品の構造が極めて簡素であって、将来、更に手軽に使い捨てに近い状態で用いられ、安価な消耗品的位置づけが加速する傾向にあることを踏まえれば、一固体に分別すべき資材が分離困難に混在するということは好ましいこととは言えない。
【０００５】
本発明は、上記実情に鑑みて成されたものであって、一固体に分別すべき資材が混在せず、鞄や書類棚等に収納する際の納まりが良く、且つ嵩張らない書類止め具の提供を目的とする。
【課題を解決するための手段】
【０００６】
上記課題を解決する為に成された本発明による書類止め具は、硬直性基板と、当該硬直性基板と一体成形された挟持ポケットを備え、当該挟持ポケットは、前記硬直性基板の縁から延出した奥行き片、当該奥行き片の迎え縁から延出した突っ張り片、及び当該突っ張り片の加圧縁から延出した支え片からなり、前記奥行き片を当該硬直性基板と折り重ねると共に、当該奥行き片の両端部を当該硬直性基板に固定し、前記突っ張り片を前記硬直性基板の表面に対して起立する様に当該硬直性基板に向けて折り返し、前記支え片を前記硬直性基板の表面に沿う様に折り返してなることを特徴とする。前記奥行き片の奥行きを当該支え片の奥行きよりも長く設定し、前記支え片の支持縁が前記挟持ポケットの最深部（折り目等）に当接し又は係止されてなる構成を採っても良い。
【０００７】
尚、ここで折り重ねるとは、折り目を共有する二片が相互に密着又はそれに近い状態となる様に（以下、密着等する様にと記す。）折り曲げることであり、折り返すとは、折り目を共有する二片が相互に密着せず、当該折り目を長軸として一定の角度を形成する様に折り曲げることとする。よって、前記奥行き片を当該硬直性基板と折り重ねると共に、当該奥行き片の両端部を当該硬直性基板に固定するとは、両者が相互に密着等する状態を保ちつつ、前記硬直性基板に折り重ねられた奥行き片の両端部（両端又はその近傍）を接合し、当該両端部が再び押し開かれる事を困難にすると共に、当該両端部の間に存在する中央部を復元力に逆らって押し開くことによりポケットが形成される状態を指すこととする。前記硬直性基板のサイズは、使用する書類等のサイズに応じて適宜設計変更すればよい。
【０００８】
更に、前記硬直性基板と一体成形されたペンホルダを備え、当該ペンホルダは、前記硬直性基板の縁部から延出した表片、当該表片から延出した裏片、及び前記表片又は裏片のいずれか一方の下縁から延出した下支え片からなり、前記表片の中央部に山折の縦折り目を設けると共に、前記裏片の中央部に山折の縦折り目を設け、前記下支え片を設けた前記表片又は裏片のいずれかの縦折り目の下端と、前記下支え片を設けた前記表片又は裏片のいずれかの左右両下端とを結ぶ山折の斜折り目を設け、前記表片と前記硬直性基板との境界に谷折の縦折り目を設け、当該下支え片を、前記表片又は裏片と折り重ね、当該下支え片を挟む様に前記表片と裏片とを折り重ね、前記裏片の端を当該硬直性基板に固定してなる構成とすれば、ペン等を書類と共に保持しえる書類止め具を構成することもできる。
【発明の効果】
【０００９】
一素材からなる一体成形品であることから廃棄の際に分別する手間が要らず、殊に、硬直性を持った厚紙により成形すれば、資源の再利用の面からも好ましい製品となる。また、硬直性基板の折り重ねによって成形したポケット又はペンホルダの平面化及び立体化を、突っ張り片或いは支え片、又は保持されるペン等の介在によって成しえるので、前記突っ張り片或いは支え片の平伏（延伸）、又は保持されるペン等の除去によってそれらが平坦となり、鞄や書類棚等に収納する際の納まりが良く、しかも嵩張りの少ないものとなる。
【００１０】
また、前記突っ張り片或いは支え片、又は保持されるペン等が介在した際には、常に前記硬直性基板の弾性による復元力が働くので、ポケットやペンホルダでは、書類やペンの適正な保持力を得ることができる。
【発明を実施するための最良の形態】
【００１１】
以下、本発明による書類止め具の実施の形態を図面に基づき説明する。
図１に示す例は、硬直性を与えた厚紙のみからなる書類止め具であって、厚紙を、長方形状の硬直性基板１、及び当該硬直性基板１と一体成形された挟持ポケット２を一連に展開した形状に裁断し（図１（Ａ）参照）、種々の機能を与えられた各部位に、折り曲げ成形や接着剤やホッチキス等の接合手段による固定措置を施すことによって形成される。
【００１２】
当該挟持ポケット２は、前記硬直性基板１の一辺の縁から全幅に亘り等しい幅を保って延出した奥行き片３、当該奥行き片３の迎え縁４（開口部側の縁）の中央部から延出した突っ張り片５、当該突っ張り片５の加圧縁６の中央部から延出した支え片７、及び前記奥行き片３の両端縁から対照的に翼状を呈して延出した定着片８からなり、前記奥行き片３を当該硬直性基板１と折り重ね、前記定着片８を、前記硬直性基板１の裏側に折り重ねると共に、前記の如く接合手段で当該硬直性基板１の裏面に定着させることにより、当該奥行き片３の両端部を当該硬直性基板１に固定（ポケット形成工程）し、前記突っ張り片５を前記硬直性基板１の表面に対して起立する様に当該硬直性基板１に向けて折り返し、前記支え片７を前記硬直性基板１の表面に沿う様に折り返すこと（挟持手段形成工程）によって成形される。
【００１３】
上記の如く形成された挟持ポケット２へ、その奥行き片３を、当該奥行き片３及び硬直性基板１の弾性に逆らって開きつつ書類等９を挿入し、当該開く力を解除すれば、前記奥行き片３及び硬直性基板１の弾性が復元力となり、前記突っ張り片５の加圧縁６と、当該加圧縁６の中央部から延出した支え片７の表面とで、前記書類等９を硬直性基板１の表面へ押し付ける力が生じ、前記挟持手段としての機能を奏することとなる。
【００１４】
また、上記の如く前記定着片８を硬直性基板１の裏面に定着させた時点、即ち、ポケット形成工程完了時点では、前記奥行き片３と当該硬直性基板１とは略隙間の無い状態で重合されており、当該両者の折り重なりと、前記奥行き片３の両端の固定により、中央部を開閉し得るポケットが形成される。この時、書類等９を硬直性基板１の表面へ積極的に押し付ける挟持手段は形成されておらず、前記突っ張り片５及び支え片７は、前記奥行き片３の延長線上に延びた状態にある（図１（Ｂ）参照）。
【００１５】
上記形態は、書類等９を硬直性基板１の表面へ積極的に押し付ける機能は奏さないものの、前記ポケットに書類等９を差し入れることによって、当該書類等９を束ねることが出来る。この様な形態にあれば、書類止め具自体が平坦となり、鞄や書類棚等に収納する際の納まりが良く、しかも嵩張りの少ないものとなる。そして、その後また挟持手段としての機能が必要となれば、奥行き片３と突っ張り片５との境界（迎え縁４）、及び突っ張り片５と支え片７との境界（加圧縁６）に設けられた折り目に沿って、当該突っ張り片５と支え片７を前記の如く折り返すことによって、再び挟持手段としての機能を利用することが出来る。
【００１６】
前記奥行き片３の長さは当該挟持ポケット２の奥行きを決め、当該奥行き片３の迎え縁４から延出し前記硬直性基板１の表面を加圧する突っ張り片５の長さと、当該突っ張り片５の加圧縁６から延出しポケットの内側へ折り返される支え片７の長さは、当該挟持ポケット２の開口量、突っ張り片５の加圧縁６を始点とした挟持長、及び迎え角（同加圧縁６を頂点とし突っ張り片５と硬直性基板１とで形作る角度）を決める。
【００１７】
前記奥行き片３の奥行きを支え片７の奥行きよりも長く設定し、前記支え片７の先端の当接縁１０に設けた当接部や係止部が前記挟持ポケット２の最深部に当接し、又は係止される構造とすることによって、前記突っ張り片５が硬直性基板１に対して形作る迎え角１２が鋭角となり、前記ポケット開く力を人為的に加えることなく書類等９を容易に差し入れることができる（図３又は図４参照）。尚、前記係止部を設ける際には、前記硬直性基板１と奥行き片３との境界たる折り目の中央部に当該係止部が挿通される切込１１を設け、当該切込１１の端に前記係止部が引っ掛かる様にすれば、前記突っ張り片５の先端に存在する加圧縁６と前記硬直性基板１との接する位置が一定に定まることとなる（図４参照）。
【００１８】
上記書類止め具には、筆記用具の保持に便宜を図るべく前記硬直性基板１と一体成形されたペンホルダ１３を備えることができる。
【００１９】
当該ペンホルダ１３は、前記硬直性基板１の縁部（当該例では側縁下部。挟持ポケット２が設けられていないいずれの縁部でも良い。）から延出した表片１４、当該表片１４から延出した裏片１５、及び前記表片１４又は裏片１５のいずれか一方の下縁から延出した下支え片１６からなり、前記表片１４の中央部に山折の縦折り目を設けると共に、前記裏片１５の中央部に山折の縦折り目を設け、前記下支え片１６を設けた前記表片１４又は裏片１５のいずれかの縦折り目の下端と、前記下支え片１６を設けた前記表片１４又は裏片１５のいずれかの左右両下端とを結ぶ山折の斜折り目を設け、前記表片１４と前記硬直性基板１との境界に谷折の縦折り目を設け、当該下支え片１６を、前記表片１４又は裏片１５と折り重ね、当該下支え片１６を挟む様に前記表片１４と裏片１５とを折り重ね、前記裏片１５の端を当該硬直性基板１に固定してなるものである（図１（Ａ）（Ｂ）参照）。
【００２０】
前記表片１４は、前記挟持ポケット２を設けた辺を除くいずれかの辺の縁部から延出する様に配置し、立体形成されたペンホルダ１３を前記硬直性基板１の縁からはみ出ない様にするには、当該表片１４を設ける辺に、ペンホルダ１３の奥行き分の切込みを入れ、当該切込の長さ分を更に延出させて、その延出長をペンホルダ１３の幅分（前面部１７）とする。上記奥行き分（内側部１８）と前面部１７との境界に前記山折の縦折り目を設け、当該ペンホルダ１３が立体形状となった時毎の形態の再現性を確保する。
【００２１】
一方、前記裏片１５は、上記表片１４の内側部１８及び前面部１７に続いて側縁から延設されたペンホルダ１３の奥行き分（外側部１９）と、更に続いて延設された定着部２０とで構成される。前記外側部１９と定着部２０との境界に前記山折の縦折り目を設け、当該ペンホルダ１３が立体形状となった時毎の形態の再現性を確保する。
【００２２】
必要に応じて、上記表片１４又は裏片１５の下部に、前記山折の縦折り目を下部の途中で打ち切り、当該縦折り目の下端より表片１４又は裏片１５のいずれかの両下端に向かう山折の斜折り目を二筋設けることによって、前記表片又は裏片の下部に、各々の下縁と当該二筋の斜折り目で形作られる三角形の領域が、当該ペンホルダ１３に挿入されたペン等をその弾性を以って保持し、ペン等が抜かれた際には、同弾性が当該ペンホルダ１３を平坦に戻す復帰力の源となる。
【００２３】
尚、本発明による書類止め具は、縦長、横長、方形、円形等のいずれでもよく、必要に応じ、図３の如く切欠部２１を設け、ペン等のクリップを引っ掛け得る形状としてもよいし、迎え縁の一部をペンの横断面の半分程度切欠するだけの穴２２を設け、ペン等を転がらない様に立てかける為のホルダを形成しても良い。
【産業上の利用可能性】
【００２４】
本発明による書類止め具は、従来金属や合成樹脂等を用いて構成されていた挟持具を実現し、十分実用に絶え得る挟み強度を確保したことによって、製造上の便宜のみならず、当該書類止め具が用いられる種々の現場における取扱い、書類の保管、運搬、並びに処分の便宜を飛躍的に高めることとなる。中でも、挟持部が比較的少ない紙面を以って構成されていることと、書類止め具全体が同種素材として再利用可能に構成されていることが相俟って、種々の産業分野において各種資料の配布等に広く利用されることが期待されるので、配布後直ぐに廃棄されることが多い用途にあっても資源の再利用や環境保全に広く貢献することとなる。
【図面の簡単な説明】
【００２５】
【図１】本発明による書類止め具の展開図を含む組み立て工程図である。
【図２】本発明による書類止め具（図１）の（Ａ）：下面図、（Ｂ）：書類を挿入する際の下面図、（Ｃ）：ペンホルダを使用する際の下面図、（Ｄ）：ペンホルダを使用する際の中間部から下部を望む横断面図、（Ｅ）：ペンホルダを使用する際の上面図、（Ｆ）：中央部の縦断面図、（Ｇ）：書類を挿入する際の中央部の縦断面図である。
【図３】本発明による書類止め具の展開図を含む組み立て工程図である。
【図４】本発明による書類止め具の（Ａ），（Ｂ），（Ｃ）：展開図を含む組み立て工程図、及び（Ｄ）：中央部の縦断面図である。
【符号の説明】
【００２６】
１  硬直性基板，２  挟持ポケット，
３  奥行き片，４  迎え縁，５  突っ張り片，６  加圧縁，７  支え片，
８  定着片，９  書類等，１０  当接縁，１１  切込，
１２  迎え角，
１３  ペンホルダ，１４  表片，１５  裏片，１６  下支え片，
１７  前面部，１８  内側部，１９  外側部，２０  定着部，
２１  切欠部，２２  穴，
【図１】
2007111913.tif 000003
【図２】
2007111913.tif 000004
【図３】
2007111913.tif 000005
【図４】
2007111913.tif 000006